(57)【要約】【課題】組立作業が容易となる両回転スクロール型圧縮機を提供する。【解決手段】駆動側スクロール部材７０と、従動側スクロール部材９０と、第１サポート部材３３と、第２サポート部材３５とを収容するスクロール収容部３ｂが設けられている。第１駆動側スクロール部７１と第２駆動側スクロール部７２とは壁体固定ボルト３１によって固定される。従動側スクロール部材９０と第２サポート部材３５とは第２サポート固定ボルト３６によって固定される。スクロール収容部３ｂには、壁体固定ボルト３１、及び、第２サポート固定ボルト３６にアクセス可能なアクセス孔３ｂ１が形成されている。【選択図】図１
2018119520.tif 000002
【特許請求の範囲】
【請求項１】
駆動部によって回転駆動され、駆動側端板に配置された渦巻状の駆動側壁体を有する駆動側スクロール部材と、
従動側端板に配置され、前記駆動側壁体に対応する従動側壁体を有し、該従動側壁体が前記駆動側壁体に対して噛み合わされることによって圧縮空間を形成する従動側スクロール部材と、
前記駆動側スクロール部材と前記従動側スクロール部材とが同じ方向に同一角速度で自転運動するように前記駆動側スクロール部材から前記従動側スクロール部材に駆動力を伝達する同期駆動機構と、
前記駆動側スクロール部材、前記従動側スクロール部材及び前記同期駆動機構を収容するハウジングと、
を備え、
前記駆動側スクロール部材は、第１駆動側端板と第１駆動側壁体とを有し、前記駆動部によって駆動される第１駆動側スクロール部と、第２駆動側端板と第２駆動側壁体とを有する第２駆動側スクロール部と、前記第１駆動側壁体と前記第２駆動側壁体との軸方向における先端同士が向かい合った状態で固定する壁体固定部と、を備え、
前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体と、を備え、
前記第１駆動側端板を間に介して配置され、前記第１従動側壁体の軸方向における先端側に対して第１サポート固定部にて固定されて前記第１従動側壁体とともに回転する第１サポート部材と、
前記第２駆動側端板を間に介して配置され、前記第２従動側壁体の軸方向における先端側に対して第２サポート固定部にて固定されて前記第２従動側壁体とともに回転する第２サポート部材と、
を備え、
前記ハウジングには、前記壁体固定部、及び／又は、前記第１サポート固定部、及び／又は、第２サポート固定部にアクセス可能な孔部が形成されていることを特徴とする両回転スクロール型圧縮機。
【請求項２】
前記孔部を封止する封止体を備えていることを特徴とする請求項１に記載の両回転スクロール型圧縮機。
【請求項３】
前記孔部は、複数設けられていることを特徴とする請求項１又は２に記載の両回転スクロール型圧縮機。
【請求項４】
前記孔部は、開放可能とされた前記ハウジングの端部とは反対側の端部に形成されていることを特徴とする請求項１から３のいずれかに記載の両回転スクロール型圧縮機。
【請求項５】
駆動部によって回転駆動され、駆動側端板に配置された渦巻状の駆動側壁体を有する駆動側スクロール部材と、
従動側端板に配置され、前記駆動側壁体に対応する従動側壁体を有し、該従動側壁体が前記駆動側壁体に対して噛み合わされることによって圧縮空間を形成する従動側スクロール部材と、
前記駆動側スクロール部材と前記従動側スクロール部材とが同じ方向に同一角速度で自転運動するように前記駆動側スクロール部材から前記従動側スクロール部材に駆動力を伝達する同期駆動機構と、
前記駆動側スクロール部材、前記従動側スクロール部材及び前記同期駆動機構を収容するハウジングと、
を備え、
前記駆動側スクロール部材は、第１駆動側端板と第１駆動側壁体とを有し、前記駆動部によって駆動される第１駆動側スクロール部と、第２駆動側端板と第２駆動側壁体とを有する第２駆動側スクロール部と、前記第１駆動側壁体と前記第２駆動側壁体との軸方向における先端同士が向かい合った状態で固定する壁体固定部と、を備え、
前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体と、を備え、
前記第１駆動側端板を間に介して配置され、前記第１従動側壁体の軸方向における先端側に対して第１サポート固定部にて固定されて前記第１従動側壁体とともに回転する第１サポート部材と、
前記第２駆動側端板を間に介して配置され、前記第２従動側壁体の軸方向における先端側に対して第２サポート固定部にて固定されて前記第２従動側壁体とともに回転する第２サポート部材と、
を備えた両回転スクロール型圧縮機の組立方法であって、
前記ハウジングに対して前記第１サポート部材又は前記第２サポート部材を組み付けた後に、前記ハウジングに形成された前記第１サポート固定部又は第２サポート固定部にアクセス可能な孔部を用いて、前記第１サポート固定部又は第２サポート固定部を固定することを特徴とする両回転スクロール型圧縮機の組立方法。
【請求項６】
駆動部によって回転駆動され、駆動側端板に配置された渦巻状の駆動側壁体を有する駆動側スクロール部材と、
従動側端板に配置され、前記駆動側壁体に対応する従動側壁体を有し、該従動側壁体が前記駆動側壁体に対して噛み合わされることによって圧縮空間を形成する従動側スクロール部材と、
前記駆動側スクロール部材と前記従動側スクロール部材とが同じ方向に同一角速度で自転運動するように前記駆動側スクロール部材から前記従動側スクロール部材に駆動力を伝達する同期駆動機構と、
前記駆動側スクロール部材、前記従動側スクロール部材及び前記同期駆動機構を収容するハウジングと、
を備え、
前記駆動側スクロール部材は、第１駆動側端板と第１駆動側壁体とを有し、前記駆動部によって駆動される第１駆動側スクロール部と、第２駆動側端板と第２駆動側壁体とを有する第２駆動側スクロール部と、前記第１駆動側壁体と前記第２駆動側壁体との軸方向における先端同士が向かい合った状態で固定する壁体固定部と、を備え、
前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体と、を備え、
前記第１駆動側端板を間に介して配置され、前記第１従動側壁体の軸方向における先端側に対して第１サポート固定部にて固定されて前記第１従動側壁体とともに回転する第１サポート部材と、
前記第２駆動側端板を間に介して配置され、前記第２従動側壁体の軸方向における先端側に対して第２サポート固定部にて固定されて前記第２従動側壁体とともに回転する第２サポート部材と、
を備えた両回転スクロール型圧縮機の組立方法であって、
前記ハウジングに対して前記第１駆動側スクロール部及び前記第２駆動側スクロール部を組み付けた後に、前記ハウジングに形成された前記壁体固定部にアクセス可能な孔部を用いて、前記壁体固定部を固定することを特徴とする両回転スクロール型圧縮機の組立方法。
【請求項７】
駆動部によって回転駆動され、駆動側端板に配置された渦巻状の駆動側壁体を有する駆動側スクロール部材と、
従動側端板に配置され、前記駆動側壁体に対応する従動側壁体を有し、該従動側壁体が前記駆動側壁体に対して噛み合わされることによって圧縮空間を形成する従動側スクロール部材と、
前記駆動側スクロール部材と前記従動側スクロール部材とが同じ方向に同一角速度で自転運動するように前記駆動側スクロール部材から前記従動側スクロール部材に駆動力を伝達する同期駆動機構と、
前記駆動側スクロール部材、前記従動側スクロール部材及び前記同期駆動機構を収容するハウジングと、
を備え、
前記駆動側スクロール部材は、第１駆動側端板と第１駆動側壁体とを有し、前記駆動部によって駆動される第１駆動側スクロール部と、第２駆動側端板と第２駆動側壁体とを有する第２駆動側スクロール部と、前記第１駆動側壁体と前記第２駆動側壁体との軸方向における先端同士が向かい合った状態で固定する壁体固定部と、を備え、
前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体と、を備え、
前記第１駆動側端板を間に介して配置され、前記第１従動側壁体の軸方向における先端側に対して第１サポート固定部にて固定されて前記第１従動側壁体とともに回転する第１サポート部材と、
前記第２駆動側端板を間に介して配置され、前記第２従動側壁体の軸方向における先端側に対して第２サポート固定部にて固定されて前記第２従動側壁体とともに回転する第２サポート部材と、
を備えた両回転スクロール型圧縮機の組立方法であって、
前記第１駆動側スクロール部及び前記第２駆動側スクロール部、前記第１サポート部材及び前記第２サポート部材を一体化して組立体を形成した後に、前記ハウジングに対して組み付けることを特徴とする両回転スクロール型圧縮機の組立方法。
【発明の詳細な説明】
【技術分野】
【０００１】
本発明は、両回転スクロール型圧縮機及びその組立方法に関するものである。
【背景技術】
【０００２】
従来より、両回転スクロール型圧縮機が知られている（特許文献１参照）。これは、駆動側スクロールと、駆動側スクロールと共に同期して回転する従動側スクロールとを備え、駆動側スクロールを回転させる駆動軸に対して、従動側スクロールの回転を支持する従動軸を旋回半径分だけオフセットして、駆動軸と従動軸とを同じ方向に同一角速度で回転させている。
【先行技術文献】
【特許文献】
【０００３】
【特許文献１】特許第５４４３１３２号公報
【発明の概要】
【発明が解決しようとする課題】
【０００４】
両回転型スクロール圧縮機では、駆動側スクロール部材と従動側スクロール部材とが異なる回転軸線回りにそれぞれが回転するため、ハウジングに両スクロール部材を組み付ける作業が困難となる。
【０００５】
本発明は、このような事情に鑑みてなされたものであって、組立作業が容易となる両回転スクロール型圧縮機及びその組立方法を提供することを目的とする。
【課題を解決するための手段】
【０００６】
上記課題を解決するために、本発明にかかる両回転スクロール型圧縮機及びその組立方法は以下の手段を採用する。
【０００７】
本発明の両回転スクロール型圧縮機は、駆動部によって回転駆動され、駆動側端板に配置された渦巻状の駆動側壁体を有する駆動側スクロール部材と、従動側端板に配置され、前記駆動側壁体に対応する従動側壁体を有し、該従動側壁体が前記駆動側壁体に対して噛み合わされることによって圧縮空間を形成する従動側スクロール部材と、前記駆動側スクロール部材と前記従動側スクロール部材とが同じ方向に同一角速度で自転運動するように前記駆動側スクロール部材から前記従動側スクロール部材に駆動力を伝達する同期駆動機構と、前記駆動側スクロール部材、前記従動側スクロール部材及び前記同期駆動機構を収容するハウジングを備え、前記駆動側スクロール部材は、第１駆動側端板と第１駆動側壁体とを有し、前記駆動部によって駆動される第１駆動側スクロール部と、第２駆動側端板と第２駆動側壁体とを有する第2駆動側スクロール部と、前記第１駆動側壁体と前記第２駆動側壁体との軸方向における先端同士が向かい合った状態で固定する壁体固定部とを備え、前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体とを備え、前記第１駆動側端板を間に介して配置され、前記第１従動側壁体の軸方向における先端側に対して第１サポート固定部にて固定されて前記第１従動側壁体とともに回転する第１サポート部材と、前記第２駆動側端板を間に介して配置され、前記第２従動側壁体の軸方向における先端側に対して第２サポート固定部にて固定されて前記第２従動側壁体とともに回転する第２サポート部材とを備え、前記ハウジングには、前記壁体固定部、及び／又は、前記第１サポート固定部、及び／又は、第２サポート固定部にアクセス可能な孔部が形成されていることを特徴とする。
【０００８】
駆動側スクロール部材の端板に配置された駆動側壁体と、従動側スクロール部材の対応する従動側壁体とが噛み合わされる。駆動側スクロール部材は、駆動部によって回転駆動され、駆動側スクロール部材に伝達された駆動力は、同期駆動機構を介して従動側スクロール部材に伝達される。これにより、従動側スクロール部材は、回転するとともに駆動側スクロール部材に対して同じ方向に同一角速度で自転運動を行う。このように、駆動側スクロール部材及び従動側スクロール部材の両方が回転する両回転式のスクロール型圧縮機が提供される。
ハウジングには、壁体固定部、及び／又は、第１サポート固定部、及び／又は、第２サポート固定部にアクセス可能な孔部が形成されている。この孔部を介して工具を挿入し、壁体固定部、及び／又は、第１サポート固定部、及び／又は、第２サポート固定部にアクセスすることができる。これにより、ハウジング内に駆動側スクロール部材やサポート部材を組み込んだ後に、ハウジングの外からアクセスして作業を行うことができ、組立作業が容易となる。
なお、孔部は、他の用途として、ハウジング内に組み込んだ各構成部品の基準ピンや位置決めピンにアクセスするためや、組立時にスクロール部材が回転しないようにするためのストッパを通すためにも用いることができる。
【０００９】
さらに、本発明の両回転スクロール型圧縮機では、前記孔部を封止する封止体を備えていることを特徴とする。
【００１０】
孔部を用いて作業を行った後に、封止体を孔部に取り付けて封止することとしたので、ハウジングを密閉することができる。
【００１１】
さらに、本発明の両回転スクロール型圧縮機では、前記孔部は、複数設けられていることを特徴とする。
【００１２】
複数の孔部を形成することとしたので、所望の位置で種々の作業を行うことができる。
【００１３】
さらに、本発明の両回転スクロール型圧縮機では、前記孔部は、開放可能とされた前記ハウジングの端部とは反対側の端部に形成されていることを特徴とする。
【００１４】
ハウジングの端部が開放可能とされている場合には、組立の際には開放可能な端部から各構成部品をハウジング内に挿入すればよい。しかし、ハウジング内に各構成部品をハウジング内に挿入して組み付けた後に、各構成部品にアクセスする必要が生じる場合がある。そこで、開放可能とされた端部とは反対側の端部に孔部を設けることで、ハウジング内に組み付けた各構成部品に対してアクセスすることができる。
【００１５】
また、本発明の両回転スクロール型圧縮機の組立方法は、駆動部によって回転駆動され、駆動側端板に配置された渦巻状の駆動側壁体を有する駆動側スクロール部材と、従動側端板に配置され、前記駆動側壁体に対応する従動側壁体を有し、該従動側壁体が前記駆動側壁体に対して噛み合わされることによって圧縮空間を形成する従動側スクロール部材と、前記駆動側スクロール部材と前記従動側スクロール部材とが同じ方向に同一角速度で自転運動するように前記駆動側スクロール部材から前記従動側スクロール部材に駆動力を伝達する同期駆動機構と、前記駆動側スクロール部材、前記従動側スクロール部材及び前記同期駆動機構を収容するハウジングとを備え、前記駆動側スクロール部材は、第１駆動側端板と第１駆動側壁体とを有し、前記駆動部によって駆動される第１駆動側スクロール部と、第２駆動側端板と第２駆動側壁体とを有する第2駆動側スクロール部と、前記第１駆動側壁体と前記第２駆動側壁体との軸方向における先端同士が向かい合った状態で固定する壁体固定部とを備え、前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体とを備え、前記第１駆動側端板を間に介して配置され、前記第１従動側壁体の軸方向における先端側に対して第１サポート固定部にて固定されて前記第１従動側壁体とともに回転する第１サポート部材と、前記第２駆動側端板を間に介して配置され、前記第２従動側壁体の軸方向における先端側に対して第２サポート固定部にて固定されて前記第２従動側壁体とともに回転する第２サポート部材とを備えた両回転スクロール型圧縮機の組立方法であって、前記ハウジングに対して前記第１サポート部材又は前記第２サポート部材を組み付けた後に、前記ハウジングに形成された前記第１サポート固定部又は第２サポート固定部にアクセス可能な孔部を用いて、前記第１サポート固定部又は第２サポート固定部を固定することを特徴とする。
【００１６】
ハウジングには、第１サポート固定部又は第２サポート固定部にアクセス可能な孔部が形成されている。この孔部を介して工具を挿入し、第１サポート固定部又は第２サポート固定部にアクセスすることができる。これにより、ハウジング内にサポート部材を組み込んだ後に、ハウジングの外からアクセスして作業を行うことができ、組立工程の煩雑さを低減することができる。
【００１７】
また、本発明の両回転スクロール型圧縮機の組立方法は、駆動部によって回転駆動され、駆動側端板に配置された渦巻状の駆動側壁体を有する駆動側スクロール部材と、従動側端板に配置され、前記駆動側壁体に対応する従動側壁体を有し、該従動側壁体が前記駆動側壁体に対して噛み合わされることによって圧縮空間を形成する従動側スクロール部材と、前記駆動側スクロール部材と前記従動側スクロール部材とが同じ方向に同一角速度で自転運動するように前記駆動側スクロール部材から前記従動側スクロール部材に駆動力を伝達する同期駆動機構と、前記駆動側スクロール部材、前記従動側スクロール部材及び前記同期駆動機構を収容するハウジングとを備え、前記駆動側スクロール部材は、第１駆動側端板と第１駆動側壁体とを有し、前記駆動部によって駆動される第１駆動側スクロール部と、第２駆動側端板と第２駆動側壁体とを有する第2駆動側スクロール部と、前記第１駆動側壁体と前記第２駆動側壁体との軸方向における先端同士が向かい合った状態で固定する壁体固定部とを備え、前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体とを備え、前記第１駆動側端板を間に介して配置され、前記第１従動側壁体の軸方向における先端側に対して第１サポート固定部にて固定されて前記第１従動側壁体とともに回転する第１サポート部材と、前記第２駆動側端板を間に介して配置され、前記第２従動側壁体の軸方向における先端側に対して第２サポート固定部にて固定されて前記第２従動側壁体とともに回転する第２サポート部材とを備えた両回転スクロール型圧縮機の組立方法であって、前記ハウジングに対して前記第１駆動側スクロール部及び前記第２駆動側スクロール部を組み付けた後に、前記ハウジングに形成された前記壁体固定部にアクセス可能な孔部を用いて、前記壁体固定部を固定することを特徴とする。
【００１８】
ハウジングには、壁体固定部にアクセス可能な孔部が形成されている。この孔部を介して工具を挿入し、壁体固定部にアクセスすることができる。これにより、ハウジング内に駆動側スクロール部材を組み込んだ後に、ハウジングの外からアクセスして作業を行うことができ、組立工程の煩雑さを低減することができる。
【００１９】
また、参考例としての両回転スクロール型圧縮機の組立方法は、駆動部によって回転駆動され、駆動側端板に配置された渦巻状の駆動側壁体を有する駆動側スクロール部材と、従動側端板に配置され、前記駆動側壁体に対応する従動側壁体を有し、該従動側壁体が前記駆動側壁体に対して噛み合わされることによって圧縮空間を形成する従動側スクロール部材と、前記駆動側スクロール部材と前記従動側スクロール部材とが同じ方向に同一角速度で自転運動するように前記駆動側スクロール部材から前記従動側スクロール部材に駆動力を伝達する同期駆動機構と、前記駆動側スクロール部材、前記従動側スクロール部材及び前記同期駆動機構を収容するハウジングとを備え、前記駆動側スクロール部材は、第１駆動側端板と第１駆動側壁体とを有し、前記駆動部によって駆動される第１駆動側スクロール部と、第２駆動側端板と第２駆動側壁体とを有する第２駆動側スクロール部と、前記第１駆動側壁体と前記第２駆動側壁体との軸方向における先端同士が向かい合った状態で固定する壁体固定部とを備え、前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体とを備え、前記第１駆動側端板を間に介して配置され、前記第１従動側壁体の軸方向における先端側に対して第１サポート固定部にて固定されて前記第１従動側壁体とともに回転する第１サポート部材と、前記第２駆動側端板を間に介して配置され、前記第２従動側壁体の軸方向における先端側に対して第２サポート固定部にて固定されて前記第２従動側壁体とともに回転する第２サポート部材と、を備えた両回転スクロール型圧縮機の組立方法であって、前記第１駆動側スクロール部及び前記第２駆動側スクロール部、前記第１サポート部材及び前記第２サポート部材を一体化して組立体を形成した後に、前記ハウジングに対して組み付けることを特徴とする。
【００２０】
ハウジング内に挿入する前に、第１駆動側スクロール部及び第２駆動側スクロール部、第１サポート部材及び第２サポート部材を一体化して組立体を形成することとした。これにより、ハウジングに組み込む前に両スクロール部材の芯出しを行うことができるので、正確に両スクロール部材を組み付けることができる。また、上述した孔部や封止体が不要となり、部品点数を減らすことができる。
【発明の効果】
【００２１】
ハウジングに孔部を設けて駆動側スクロール部材やサポート部材にアクセス可能としたので、容易に組み立てることができる。
【図面の簡単な説明】
【００２２】
【図１】本発明の一実施形態に係る両回転スクロール型圧縮機を示した縦断面図である。
【図２Ａ】図１の両回転スクロール型圧縮機の組立の第１工程を示した縦断面図である。
【図２Ｂ】図１の両回転スクロール型圧縮機の組立の第２工程を示した縦断面図である。
【図２Ｃ】図１の両回転スクロール型圧縮機の組立の第３工程を示した縦断面図である。
【図２Ｄ】図１の両回転スクロール型圧縮機の組立の第４工程を示した縦断面図である。
【図２Ｅ】図１の両回転スクロール型圧縮機の組立の第５工程を示した縦断面図である。
【図３Ａ】参考実施形態に係る両回転スクロール型圧縮機の組立の第１工程を示した縦断面図である。
【図３Ｂ】参考実施形態に係る両回転スクロール型圧縮機の組立の第２工程を示した縦断面図である。
【発明を実施するための形態】
【００２３】
以下、本発明の一実施形態について、図１及び図２を用いて説明する。
図１には、両回転スクロール型圧縮機（スクロール型圧縮機）１が示されている。両回転スクロール型圧縮機１は、例えば車両用エンジン等の内燃機関に供給する燃焼用空気（流体）を圧縮する過給機として用いることができる。
【００２４】
両回転スクロール型圧縮機１は、ハウジング３と、ハウジング３の一端側に収容されたモータ（駆動部）５と、ハウジング３の他端側に収容された駆動側スクロール部材７０及び従動側スクロール部材９０とを備えている。
【００２５】
ハウジング３は、略円筒形状とされており、モータ５を収容するモータ収容部３ａと、スクロール部材７０，９０を収容するスクロール収容部３ｂとを備えている。
【００２６】
モータ収容部３ａの外周には、モータ５を冷却するための冷却フィン３ｃが設けられている。スクロール収容部３ｂの端部には、圧縮後の空気（作動流体）を吐出するための吐出口３ｄが形成されている。なお、図１では示さされていないが、ハウジング３には空気（作動流体）を吸入する空気吸入口が設けられている。さらに、スクロール収容部３ｂの端部には、貫通穴とされたアクセス孔３ｂ１が形成されている。アクセス孔３ｂ１は、複数設けられており、アクセスする対象の位置に応じて形成されている。なお、アクセス孔３ｂ１は１つであっても良い。
アクセス孔３ｂ１には、封止するための封止ボルト（封止体）４０が設けられている。封止ボルト４０は、組立終了後に取り付けられる。なお、ハウジング３内を密閉する必要がない場合には、封止ボルト４０を省略してもよい。この場合には、アクセス孔３ｂ１による貫通孔が開口したままとなる。
【００２７】
モータ５は、図示しない電力供給源から電力が供給されることによって駆動される。モータ５の回転制御は、図示しない制御部からの指令によって行われる。モータ５のステータ５ａはハウジング３の内周側に固定されている。モータ５のロータ５ｂは、駆動側回転軸線ＣＬ１回りに回転する。ロータ５ｂには、駆動側回転軸線ＣＬ１上に延在する駆動軸６が接続されている。駆動軸６は、駆動側スクロール部材７０の第１駆動側軸部７ｃと接続されている。
【００２８】
駆動側スクロール部材７０は、モータ５側の第１駆動側スクロール部７１と、吐出口３ｄ側の第２駆動側スクロール部７２とを備えている。
第１駆動側スクロール部７１は、第１駆動側端板７１ａと第１駆動側壁体７１ｂを備えている。
第１駆動側端板７１ａは、駆動軸６に接続された第１駆動側軸部７ｃに接続されており、駆動側回転軸線ＣＬ１に対して直交する方向に延在している。第１駆動側軸部７ｃは、玉軸受とされた第１駆動側軸受１１を介してハウジング３に対して回転自在に設けられている。
【００２９】
第１駆動側端板７１ａは、平面視した場合に略円板形状とされている。第１駆動側端板７１ａ上に、渦巻状とされた複数の第１駆動側壁体７１ｂが設けられている。第１駆動側壁体７１ｂは、駆動側回転軸線ＣＬ１回りに等間隔にて配置されている。
【００３０】
第２駆動側スクロール部７２は、第２駆動側端板７２ａと第２駆動側壁体７２ｂを備えている。第２駆動側壁体７２ｂは、上述した第１駆動側壁体７１ｂと同様に、渦巻状とされ複数設けられている。
第２駆動側端板７２ａには、駆動側回転軸線ＣＬ１方向に延在する円筒形の第２駆動側軸部７２ｃが接続されている。第２駆動側軸部７２ｃは、玉軸受とされた第２駆動側軸受１４を介して、ハウジング３に対して回転自在に設けられている。第２駆動側端板７２ａには、駆動側回転軸線ＣＬ１に沿って吐出ポート７２ｄが形成されている。
【００３１】
第２駆動側軸部７２ｃとハウジング３との間には、第２駆動側軸受１４よりも第２駆動側軸部７２ｃの先端側（図１において左側）に、２つのシール部材１６が設けられている。２つのシール部材１６と第２駆動側軸受１４とは駆動側回転軸線ＣＬ１方向に所定間隔を有して配置されている。２つのシール部材１６の間には、例えば半固体潤滑剤であるグリースとされた潤滑剤が封入されている。なお、シール部材１６は１つとしても良い。この場合、潤滑剤は、シール部材１６と第２駆動側軸受１４との間に封入される。
【００３２】
第１駆動側スクロール部７１と第２駆動側スクロール部７２とは、壁体７１ｂ，７２ｂの先端（自由端）同士が向かい合った状態で固定されている。第１駆動側スクロール部７１と第２駆動側スクロール部７２との固定は、半径方向外側に突出するように円周方向において複数箇所設けたフランジ部７３に対して締結された壁体固定ボルト（壁体固定部）３１によって行われる。壁体固定ボルト３１は、スクロール収容部３ｂに形成したアクセス孔３ｂ１から工具でアクセス可能な位置とされている。
【００３３】
従動側スクロール部材９０は、軸方向（図において水平方向）における略中央に、従動側端板９０ａが位置している。従動側端板９０ａの中央には貫通孔９０ｈが形成されており、圧縮後の空気が吐出ポート７２ｄへ流れるようになっている。
従動側端板９０ａの一側面には、第１従動側壁体９１ｂが設けられており、従動側端板９０ａの他側面には、第２従動側壁体９２ｂが設けられている。従動側端板９０ａからモータ５側に設置された第１従動側壁体９１ｂは、第１駆動側スクロール部７１の第１駆動側壁体７１ｂと噛み合わされ、従動側端板９０ａから吐出口３ｄ側に設置された第２従動側壁体９２ｂは、第２駆動側スクロール部７２の第２駆動側壁体７２ｂと噛み合わされる。
【００３４】
従動側スクロール部材９０の軸方向（図において水平方向）における両端には、第１サポート部材３３と第２サポート部材３５とが設けられている。第１サポート部材３３は、モータ５側に配置され、第２サポート部材３５は吐出口３ｄ側に配置されている。
【００３５】
第１サポート部材３３は、第１従動側壁体９１ｂの外周側の先端（自由端）に対して第１サポート固定ボルト（第１サポート固定部）３４によって固定されており、第２サポート部材３５は、第２従動側壁体９２ｂの外周側の先端（自由端）に対して第２サポート固定ボルト（第２サポート固定部）３６によって固定されている。第２サポート固定ボルト３６は、スクロール収容部３ｂに形成したアクセス孔３ｂ１から工具でアクセス可能な位置とされている。
【００３６】
第１サポート部材３３の中心軸側には、軸部３３ａが設けられており、この軸部３３ａが第１サポート部材用軸受３７を介してハウジング３に対して固定されている。第２サポート部材３５の中心軸側には、軸部３５ａが設けられており、この軸部３５ａが第２サポート部材用軸受３８を介してハウジング３に対して固定されている。これにより、各サポート部材３３、３５を介して、従動側スクロール部材９０は、従動側中心軸線ＣＬ２回りに回転するようになっている。
【００３７】
第１サポート部材３３と第１駆動側端板７１ａとの間には、ピンリング機構（同期駆動機構）１５が設けられている。すなわち、第１駆動側端板７１ａに転がり軸受（リング）が設けられ、第１サポート部材３３にピン部材１５ｂが設けられている。ピンリング機構１５によって、駆動側スクロール部材７０から従動側スクロール部材９０へと駆動力が伝達されるとともに、両スクロール部材７０、９０が同じ方向に同一角速度で自転運動される。
【００３８】
上記構成の両回転スクロール型圧縮機１は、以下のように動作する。
モータ５によって駆動軸６が駆動側回転軸線ＣＬ１回りに回転させられると、駆動軸６に接続された第１駆動側軸部７ｃも回転し、これにより駆動側スクロール部材７０が駆動側回転軸線ＣＬ１回りに回転する。駆動側スクロール部材７０が回転すると、駆動力がピンリング機構１５を介して各サポート部材３３，３５から従動側スクロール部材９０へと伝達され、従動側スクロール部材９０が従動側回転軸線ＣＬ２回りに回転する。このとき、ピンリング機構１５のピン部材１５ｂが円形穴の内周面に対して接触しつつ移動することによって、両スクロール部材７０，９０が同じ方向に同一角速度で自転運動を行う。
両スクロール部材７０，９０が自転旋回運動を行うと、ハウジング３の吸入口から吸い込まれた空気が両スクロール部材７０，９０の外周側から吸入され、両スクロール部材７０，９０によって形成された圧縮室に取り込まれる。そして、第１駆動側壁体７１ｂと第１従動側壁体９１ｂとによって形成された圧縮室と、第２駆動側壁体７２ｂと第２従動側壁体９２ｂとによって形成された圧縮室とが別々に圧縮される。それぞれの圧縮室は中心側に移動するにしたがって容積が減少し、これに伴い空気が圧縮される。第１駆動側壁体７１ｂと第１従動側壁体９１ｂとによって圧縮された空気は、従動側端板９０ａに形成された貫通孔９０ｈを通り、第２駆動側壁体７２ｂと第２従動側壁体９２ｂとによって圧縮された空気と合流し、合流後の空気が吐出ポート７２ｄを通り、ハウジング３の吐出口３ｄから外部へと吐出される。吐出された圧縮空気は、図示しない内燃機関へと導かれ、燃焼用空気として用いられる。
【００３９】
［組立方法］
次に、図２Ａ〜図２Ｅを用いて、両回転スクロール型圧縮機１の組立方法について説明する。
【００４０】
先ず、図２Ａに示すように、スクロール収容部３ｂに対して、第２駆動側軸受１４及び第２サポート部材用軸受３８を取り付けた後に、第２サポート部材３５をスクロール収容部３ｂの開放端側から挿入して組み付ける。具体的には、第２サポート部材３５の軸部３５ａを第２サポート部材用軸受３８の内輪の内周に挿入する。このとき、スクロール収容部３ｂに形成したアクセス孔３ｂ１には封止ボルト４０（図１参照）は取り付けられていない。
【００４１】
次に、図２Ｂに示すように、第２駆動側スクロール部７２を組み付ける。具体的には、第２駆動側スクロール部７２の第２駆動側軸部７２ｃを第２駆動側軸受１４の内輪の内周に挿入する。
【００４２】
そして、図２Ｃに示すように、従動側スクロール部材９０を組み付ける。具体的には、従動側スクロール部材９０の第２従動側壁体９２ｂの先端と第２サポート部材３５の先端とを付き合わせた後に、第２サポート固定ボルト３６を用いて従動側スクロール部材９０と第２サポート部材３５とを固定する。この固定作業は、アクセス孔３ｂ１から工具を挿入して、第２サポート固定ボルト３６をその軸線回りに回転させることによって行う。第２サポート固定ボルト３６を複数箇所に固定する場合には、従動側スクロール部材９０と第２サポート部材３５を所定角度回転させて同じアクセス孔３ｂ１を用いて行っても良いし、従動側スクロール部材９０と第２サポート部材３５を回転させずに対応する角度位置に設けた複数のアクセス孔３ｂ１を用いて行っても良い。
【００４３】
そして、図２Ｄに示すように、第１駆動側スクロール部７１を組み付ける。具体的には、第２駆動側スクロール部７２の第２駆動側壁体７２ｂに対して第１駆動側壁体７１ｂを付き合わせた後に、壁体固定ボルト３１を用いて第１駆動側スクロール部７１と第２駆動側スクロール部７２とを固定する。この固定作業は、アクセス孔３ｂ１から工具を挿入して、壁体固定ボルト３１をその軸線回りに回転させることによって行う。壁体固定ボルト３１を複数箇所に固定する場合には、駆動側スクロール部材７０を所定角度回転させて同じアクセス孔３ｂ１を用いて行っても良いし、駆動側スクロール部材７０を回転させずに対応する角度位置に設けた複数のアクセス孔３ｂ１を用いて行っても良い。
【００４４】
そして、図２Ｅに示すように、第１サポート部材３３を組み付ける。具体的には、従動側スクロール部材９０の第１従動側壁体９１ｂの先端と第１サポート部材３３の先端とを付き合わせた後に、第１サポート固定ボルト３４を用いて従動側スクロール部材９０と第１サポート部材３３とを固定する。この固定作業は、スクロール収容部３ｂの開放端（同図において右側端部）側からアクセスして行う。
【００４５】
そして、アクセス孔３ｂ１に対して封止ボルト４０を固定する。これにより、ハウジング３内を密閉可能とする。
【００４６】
なお、図２Ｃを用いて説明した第２サポート固定ボルト３６の固定作業は、従動側スクロール部材９０が第２サポート部材３５に対して仮止めされた後であれば良く、例えば図２Ｄや図２Ｅの工程の後でも良い。
また、図２Ｄを用いて説明した壁体固定ボルト３１の固定作業は、アクセス孔３ｂ１を用いずに、スクロール収容部３ｂの開放端側からアクセスして行っても良い。
【００４７】
本実施形態によれば、以下の作用効果を奏する。
アクセス孔３ｂ１を介して工具を挿入し、第２サポート固定ボルト３６や壁体固定ボルト３１にアクセスすることができる。これにより、スクロール収容部３ｂ内に第２サポート部材３５や駆動側スクロール部材７０を組み込んだ後に、ハウジング３の外からアクセスして作業を行うことができ、組立作業が容易となる。
【００４８】
アクセス孔３ｂ１を用いて作業を行った後に、封止ボルト４０をアクセス孔３ｂ１に取り付けて封止することとしたので、ハウジング３を密閉することができる。
【００４９】
スクロール収容部３ｂの開放可能とされた端部とは反対側の端部にアクセス孔３ｂ１を設けることとしたので、スクロール収容部３ｂ内に組み付けた後に第２サポート部材３５や駆動側スクロール部材７０に対してアクセスすることができる。
【００５０】
なお、上述した実施形態では、過給機として両回転スクロール型圧縮機を用いることとしたが、本発明はこれに限定されるものではなく、流体を圧縮するものであれば広く利用することができ、例えば空調機械において使用される冷媒圧縮機として用いることもできる。また、本発明のスクロール型圧縮機１を鉄道車両用のブレーキシステムとして空気の力を利用した空制装置に適用することも可能である。
【００５１】
また、アクセス孔３ｂ１は、他の用途として、スクロール収容部３ｂ内に組み込んだ各構成部品の基準ピンや位置決めピンにアクセスするためや、組立時にスクロール部材７０，９０が回転しないようにするためのストッパを通すためにも用いることができる。
【００５２】
［参考実施形態］
図３Ａ及び図３Ｂには、参考実施形態が示されている。
スクロール収容部３ｂにアクセス孔３ｂ１（図１参照）が設けられていない場合には、次のように組立を行う。すなわち、図３Ａ及び図３Ｂに示すように、第１駆動側スクロール部７１及び第２駆動側スクロール部７２を壁体固定ボルト３１で固定し、かつ、第１サポート部材３３と従動側スクロール部材９０とを第１サポート固定ボルト３４で固定し、かつ、第２サポート部材３５と従動側スクロール部材９０とを第２サポート固定ボルト３６で固定して、これらを一体化してカートリッジ（組立体）を形成する。その後、このカートリッジをスクロール収容部３ｂの開放端側から挿入して組み付ける。
スクロール収容部３ｂ内に挿入する前に、カートリッジを形成することにより、スクロール収容部３ｂに組み込む前に両スクロール部材７０，９０の芯出しを行うことができるので、正確に両スクロール部材７０，９０を組み付けることができる。また、上述したアクセス孔３ｂ１や封止ボルト４０が不要となり、部品点数を減らすことができる。
【符号の説明】
【００５３】
１  両回転スクロール型圧縮機（スクロール型圧縮機）
３  ハウジング
３ａ  モータ収容部
３ｂ  スクロール収容部（ハウジング）
３ｂ１  アクセス孔
３ｃ  冷却フィン
３ｄ  吐出口
５  モータ（駆動部）
５ａ  ステータ
５ｂ  ロータ
６  駆動軸
７ｃ  第１駆動側軸部
１１  第１駆動側軸受
１４  第２駆動側軸受
１５  ピンリング機構（同期駆動機構）
１５ｂ  ピン部材
１６  シール部材
３１  壁体固定ボルト（壁体固定部）
３３  第１サポート部材
３３ａ  軸部
３４  第１サポート固定ボルト（第１サポート固定部）
３５  第２サポート部材
３５ａ  軸部
３６  第２サポート固定ボルト（第２サポート固定部）
３７  第１サポート部材用軸受
３８  第２サポート部材用軸受
４０  封止ボルト（封止体）
７０  駆動側スクロール部材
７１  第１駆動側スクロール部
７１ａ  第１駆動側端板
７１ｂ  第１駆動側壁体
７２  第２駆動側スクロール部
７２ａ  第２駆動側端板
７２ｂ  第２駆動側壁体
７２ｃ  第２駆動側軸部
７２ｄ  吐出ポート
７３  フランジ部
９０  従動側スクロール部材
９０ａ  従動側端板
９０ｈ  貫通孔
９１ｂ  第１従動側壁体
９２ｂ  第２従動側壁体
ＣＬ１  駆動側回転軸線
ＣＬ２  従動側回転軸線
【図１】
2018119520.tif 000003
【図２Ａ】
2018119520.tif 000004
【図２Ｂ】
2018119520.tif 000005
【図２Ｃ】
2018119520.tif 000006
【図２Ｄ】
2018119520.tif 000007
【図２Ｅ】
2018119520.tif 000008
【図３Ａ】
2018119520.tif 000009
【図３Ｂ】
2018119520.tif 000010